(57)【要約】【課題】部品点数が少なく、筐体の内部から外部へと導線又はケーブルが延出する筐体の貫通孔の部分において導線又はケーブルが貫通孔の半径方向において位置ずれすることを防止し、更に、第１部材と第２部材とをより強固に互いに固定する電子部品及び電子機器の提供。【解決手段】ケース１１１−１の第１保持部１１６のフック１１６Ａと、底蓋１１１−２の第２保持部１１７のフック受け部１１７Ａとが係合することで、ケース１１１−１の一端部１１３及び他端部において、第１保持部１１６と第２保持部１１７とで絶縁被覆導線１０３の一端部を挟持するとともに、ケース１１１−１と蓋１１１−２とを互いに移動不能に固定する。【選択図】図６
2008263110.tif 000002
【特許請求の範囲】
【請求項１】
第１の合せ面を持つ第１部材と、
該第１の合せ面と合わさる第２の合せ面を持ち、該第１部材と協働して筐体を提供する第２部材とを備え、
該第１部材の少なくとも一端部であって該第１の合せ面位置付近には、該第１の合せ面と該第２の合せ面とが整合する位置で該筐体の内部から該筐体外に延出する導線の延出方向に突出する第１保持部が、該導線の延出基部の外周面の一部を覆うように該第１部材と一体に設けられ、
該第１保持部が設けられた位置側の該第２部材の少なくとも一端部であって、該第２の合せ面位置付近には、該導線延出方向に突出し該第１保持部と係合可能な第２保持部が該導線の延出基部の外周面の他部を覆うように該第２部材と一体に設けられ、該第１保持部と該第２保持部との係合により、該一端部側で該導線の延出基部の外周面を保持するとともに、該第１部材と該第２部材とを互いに移動不能に固定することを特徴とする電子部品。
【請求項２】
該第１保持部の部分であって該延出基部の外周面に対向する第１保持部対向面には、該延出基部の外周面へ向けて突出し該延出基部に当接する第１保持部凸部が設けられ、
該第２保持部の部分であって該延出基部の外周面に対向する第２保持部対向面には、該導線の延出方向において該第１保持部凸部と異なる位置に配置され、該延出基部の外周面へ向けて突出し該該延出基部に当接する第２保持部凸部が設けられていることを特徴とする請求項１記載の電子部品。
【請求項３】
該第１保持部凸部と該第２保持部凸部とは、該延出基部に当接することにより該延出基部をくねらせた状態とする突出高さを有し、
該第１保持部の突出方向における突出端の該第１保持部対向面には、該延出基部へ向けて突出し該延出基部に当接する第１保持部突出端凸部が設けられ、
該第２保持部の突出方向における突出端の該第２保持部対向面には、該導線の延出方向において該第１保持部突出端凸部と一致する位置に配置され、該延出基部へ向けて突出し、該第１保持部突出端凸部と突出高さが等しく、該延出基部に当接する第２保持部突出端凸部が設けられていることを特徴とする請求項２記載の電子部品。
【請求項４】
該導線はケーブルからなり、
該第１部材は、該ケーブルの一部において該ケーブルの外周面の周方向における一方の半周を覆う第１ケースからなり、該第１ケースの一端部及び他端部における該第１の合せ面には、それぞれ略半円形状をなし該ケーブルの一部の該一方の半周が係合する第１切欠きがそれぞれ形成され、
該第２部材は、該ケーブルの一部において該ケーブルの外周面の周方向における他方の半周を覆う第２ケースからなり、該第２ケースの該一端部及び他端部における該第２の合せ面には、それぞれ略半円形状をなし該第１切欠きと対向し該ケーブルの一部の該他方の半周が係合する第２切欠きがそれぞれ形成され、該ケーブルは該第１切欠きと該第２切欠きとからなる貫通孔から該筐体外へ延出し、該貫通孔から該筐体外部へ延出した部分が該延出基部をなし、
該第１保持部は、該第１切欠きを画成する該第１ケースの一端部から該ケーブルの延出方向へ延出する略半割円筒形状をなし、該第２保持部は、該第２切欠きを画成する該第２ケースの一端部から該ケーブルの延出方向へ延出する略半割円筒形状をなし、
該筐体内には該ケーブルの一部を環装するように配置されたコアが収容され、ノイズ吸収装置として機能することを特徴とする請求項１乃至請求項３のいずれか一記載の電子部品。
【請求項５】
該第１保持部は、該第１切欠きを画成する該第１ケースの他端部から該ケーブルの延出方向へ延出する略半割円筒形状をなし、該第２保持部は、該第２切欠きを画成する該第２ケースの他端部から該ケーブルの延出方向へ延出する略半割円筒形状をなすことを特徴とする請求項４記載の電子部品。
【請求項６】
該導線は絶縁被覆されて絶縁被覆導線をなし、
該第１部材は、該絶縁被覆導線の一端部において該絶縁被覆導線の外周面の周方向における一方の半周を覆うケースからなり、該ケースの一端部及び他端部における該第１の合せ面には、それぞれ略半円形状をなし該絶縁被覆導線の一端部の該一方の半周が係合する第１切欠きがそれぞれ形成され、
該第２部材は、該絶縁被覆導線の一端部において該絶縁被覆導線の外周面の周方向における他方の半周を覆う蓋部材からなり、該蓋部材の該一端部及び他端部における該第２の合せ面には、それぞれ略半円形状をなし該第１切欠きと対向し該絶縁被覆導線の一端部の該他方の半周が係合する第２切欠きがそれぞれ形成され、該絶縁被覆導線は該第１切欠きと該第２切欠きとからなる貫通孔から該筐体外へ延出し、該貫通孔から該筐体外部へ延出した部分が該延出基部をなし、
該第１保持部は、該第１切欠きを画成する該ケースの一端部から該絶縁被覆導線の延出方向へ延出する略半割円筒形状をなし、該第２保持部は、該第２切欠きを画成する該蓋部材の一端部から該絶縁被覆導線の延出方向へ延出する略半割円筒形状をなし、
該筐体内には、該導線に電気的に接続されたコンデンサとトロイダルコアとを備え、ノイズフィルタとして機能することを特徴とする請求項１乃至請求項３のいずれか一記載の電子部品。
【請求項７】
該第１保持部は、該第１切欠きを画成する該ケースの他端部から該絶縁被覆導線の延出方向へ延出する略半割円筒形状をなし、該第２保持部は、該第２切欠きを画成する該蓋部材の他端部から該絶縁被覆導線の延出方向へ延出する略半割円筒形状をなすことを特徴とする請求項６記載の電子部品。
【請求項８】
第１の合せ面を持つ第１部材と、
該第１の合せ面と合わさる第２の合せ面を持ち、該第１部材と協働して筐体を提供する第２部材とを備え、
該第１部材の少なくとも一端部であって該第１の合せ面位置付近には、該第１の合せ面と該第２の合せ面とが整合する位置で該筐体の内部から該筐体外に延出するケーブルの延出方向に突出する第１保持部が、該ケーブルの延出基部の外周面の一部を覆うように該第１部材と一体に設けられ、
該第１保持部が設けられた位置側の該第２部材の少なくとも一端部であって、該第２の合せ面位置付近には、該ケーブル延出方向に突出し該第１保持部と係合可能な第２保持部が該ケーブルの延出基部の外周面の他部を覆うように該第２部材と一体に設けられ、該第１保持部と該第２保持部との係合により、該一端部側でケーブルの延出基部の外周面を保持するとともに、該第１部材と該第２部材とを互いに移動不能に固定することを特徴とする電子機器。
【請求項９】
該第１保持部の部分であって該延出基部の外周面に対向する第１保持部対向面には、該延出基部の外周面へ向けて突出し該延出基部に当接する第１保持部凸部が設けられ、
該第２保持部の部分であって該延出基部の外周面に対向する第２保持部対向面には、該ケーブルの延出方向において該第１保持部凸部と異なる位置に配置され、該延出基部の外周面へ向けて突出し該延出基部に当接する第２保持部凸部が設けられていることを特徴とする請求項８記載の電子機器。
【請求項１０】
該第１保持部凸部と該第２保持部凸部とは、該延出基部に当接することにより該延出基部をくねらせた状態とする突出高さを有し、
該第１保持部の突出方向における突出端の該第１保持部対向面には、該延出基部へ向けて突出し該延出基部に当接する第１保持部突出端凸部が設けられ、
該第２保持部の突出方向における突出端の該第２保持部対向面には、該ケーブルの延出方向において該第１保持部突出端凸部と一致する位置に配置され、該延出基部へ向けて突出し、該第１保持部突出端凸部と突出高さが等しく、該延出基部に当接する第２保持部突出端凸部が設けられていることを特徴とする請求項９記載の電子機器。
【発明の詳細な説明】
【技術分野】
【０００１】
本発明は電子部品及び電子機器に関し、特に第１の合せ面を持つ第１部材と、第１の合せ面と合わさる第２の合せ面を持つ第２部材とにより筐体が構成され、第１の合せ面と第２の合せ面とが整合する位置で筐体の内部から筐体外に導線やケーブルが延出する電子部品及び電子機器に関する。
【背景技術】
【０００２】
第１の合せ面を持つ第１部材と、第１の合せ面と合わさる第２の合せ面を持つ第２部材とにより筐体が構成され、第１の合せ面と第２の合せ面とが整合する位置で筐体の内部から筐体外に導線又はケーブルが延出する電子部品や電子機器が従来より知られている。実開平５−３１２１２号公報（特許文献１）には、この構成の電子部品が記載されている。電子部品は具体的にはノイズ吸収装置たるラインフィルターであり、円筒状コアケースと円筒形コアを有し、これらはそれぞれ軸方向に２分割されている。２分割された円筒状コアケースのそれぞれに、２分割された円筒形コアが１つずつ同軸的に収容されている。
【０００３】
軸方向において２分割された円筒状コアケースの一方は第１部材に相当し、他方は第２部材に相当し、これらの分割面は第１の合せ面、第２の合せ面をなす。一方のコアケースの外周面にはフックが設けられており、他方のコアケースの外周面にはフック受け部が設けられており、フックがフック受け部に係合することにより、第１の合せ面と第２の合せ面とが合わさって第１部材と第２部材とを互いに固定して筐体たる円筒状のコアケースをなす。当該２分割されたコアケースの軸方向の一端及び他端における第１の合せ面と第２の合せ面とには、それぞれ半円形状をした切欠きがコアケースと同軸的に形成され、第１の合せ面と第２の合せ面とが合わさったときに、コアケースの一端及び他端においてコアケース内とコアケース外とを連通する円形の貫通孔がそれぞれ画成されるように構成されている。円筒状のコアケースの一端側の貫通孔からコアケース内部にケーブルが入り込み、ケーブルは円筒形コアを貫通し、コアケースの他端側の貫通孔からコアケース外部へと延出するようにケーブルを配置可能である。
【０００４】
コアケースの外周面には、コアケースの軸方向における一端から他端へと一直線状にホルダ固定溝が形成されており、ホルダ固定溝には、角柱状をしたケーブルホルダの直幹部が嵌合されている。直幹部の一端及び他端には、円筒状のコアケースの一端及び他端においてコアケースの半径方向に延出する延出部が設けられており、延出部の先端には、略Ｃ字形状をしたケーブル保持部が設けられている。このＣ字形状のケーブル保持部に、コアケース内部から外部へと延出するケーブルの延出基部を保持することによりコアケースの一端及び他端の貫通孔よりも径の小さなケーブルを、コアケースの一端及び他端でコアケースに固定できるように構成されている。
【特許文献１】実開平５−３１２１２号公報
【発明の開示】
【発明が解決しようとする課題】
【０００５】
しかし、上記公報記載の電子機器では、ケーブル保持部を用いてケーブルをコアケースに固定するため、ケーブル保持部を用意する必要があり、部品点数が多くなっていた。また、円筒状のコアケースの一端及び他端における貫通孔の径に略等しいケーブルを貫通孔に挿通させた場合には、このようなケーブル保持部を用いずに、当該貫通孔を画成するコアケースの部分によってケーブルをコアケースに固定することはできるが、ケーブルが引っ張られたり、コアケースの貫通孔近傍の位置で折り曲げられたりすることにより、当該貫通孔においてケーブルの位置が貫通孔の半径方向へずれてしまい、第１の合せ面と第２の合せ面とが互いに開く方向へコアケースに力が作用し、フックがフック受け部から外れ、一方のコアケースが他方のコアケースから外れてしまうといった問題が生ずる。
【０００６】
そこで、本発明は、部品点数が少なく、筐体の内部から外部へと導線又はケーブルが延出する筐体の貫通孔の部分において導線又はケーブルが貫通孔の半径方向において位置ずれすることを防止し、更に、第１部材と第２部材とをより強固に互いに固定する電子部品及び電子機器を提供することを目的とする。
【課題を解決するための手段】
【０００７】
上記目的を達成するために、本発明は、第１の合せ面を持つ第１部材と、該第１の合せ面と合わさる第２の合せ面を持ち、該第１部材と協働して筐体を提供する第２部材とを備え、該第１部材の少なくとも一端部であって該第１の合せ面位置付近には、該第１の合せ面と該第２の合せ面とが整合する位置で該筐体の内部から該筐体外に延出する導線の延出方向に突出する第１保持部が、該導線の延出基部の外周面の一部を覆うように該第１部材と一体に設けられ、該第１保持部が設けられた位置側の該第２部材の少なくとも一端部であって、該第２の合せ面位置付近には、該導線延出方向に突出し該第１保持部と係合可能な第２保持部が該導線の延出基部の外周面の他部を覆うように該第２部材と一体に設けられ、該第１保持部と該第２保持部との係合により、該一端部側で該導線の延出基部の外周面を保持するとともに、該第１部材と該第２部材とを互いに移動不能に固定する電子部品を提供している。
【０００８】
第１部材の少なくとも一端部であって第１の合せ面位置付近には、第１の合せ面と第２の合せ面とが整合する位置で筐体の内部から筐体外に延出する導線の延出方向に突出する第１保持部が、導線の延出基部の外周面の一部を覆うように第１部材と一体に設けられ、第１保持部が設けられた位置側の第２部材の少なくとも一端部であって、第２の合せ面位置付近には、導線延出方向に突出し第１保持部と係合可能な第２保持部が導線の延出基部の外周面の他部を覆うように第２部材と一体に設けられ、第１保持部と第２保持部との係合により、一端部側で導線の延出基部の外周面を保持するとともに、第１部材と第２部材とを互いに移動不能に固定するため、第１部材、第２部材の部分にこれらを互いに移動不能に固定するための係合の構成を設けなくて済む。
【０００９】
また、第１保持部と第２保持部とは係合可能であり、第１保持部と第２保持部との係合により、一端部側で導線の延出基部の外周面を保持するため、導線の半径方向において第１保持部及び第２保持部に対して導線の位置ずれが生じることを防止することができ、導線がたわんだり、引っ張られたりして負荷がかかったりしたときに、導線が損傷することを防止することができる。また、第１部材と第２部材とを係合するための係合の構成を第１部材、第２部材の部分に設けた場合には、導線の当該位置ずれにより、第１部材に対する第２部材の固定が外れてしまうような大きな負荷がこれらの係合の構成にかかり、当該係合の構成が破損する恐れがある。しかし、第１保持部と第２保持部とが係合する構成としたことにより、導線の位置ずれを防止することができ、当該係合の構成に大きな負荷がかかることを防止することができ、係合の構成が破損したり、第１部材に対する第２部材の固定が外れてしまったりすることを防止することができる。
【００１０】
ここで、該第１保持部の部分であって該延出基部の外周面に対向する第１保持部対向面には、該延出基部の外周面へ向けて突出し該延出基部に当接する第１保持部凸部が設けられ、該第２保持部の部分であって該延出基部の外周面に対向する第２保持部対向面には、該導線の延出方向において該第１保持部凸部と異なる位置に配置され、該延出基部の外周面へ向けて突出し該該延出基部に当接する第２保持部凸部が設けられていることが好ましい。
【００１１】
第１保持部の部分であって延出基部の外周面に対向する第１保持部対向面には、延出基部の外周面へ向けて突出し延出基部に当接する第１保持部凸部が設けられ、第２保持部の部分であって延出基部の外周面に対向する第２保持部対向面には、導線の延出方向において第１保持部凸部と異なる位置に配置され、延出基部の外周面へ向けて突出し延出基部に当接する第２保持部凸部が設けられているため、導線の軸方向において導線がずれることを防止することができ、導線の位置を第１保持部と第２保持部との間で、より確実に固定することができる。
【００１２】
また、該第１保持部凸部と該第２保持部凸部とは、該延出基部に当接することにより該延出基部をくねらせた状態とする突出高さを有し、該第１保持部の突出方向における突出端の該第１保持部対向面には、該延出基部へ向けて突出し該延出基部に当接する第１保持部突出端凸部が設けられ、該第２保持部の突出方向における突出端の該第２保持部対向面には、該導線の延出方向において該第１保持部突出端凸部と一致する位置に配置され、該延出基部へ向けて突出し、該第１保持部突出端凸部と突出高さが等しく、該延出基部に当接する第２保持部突出端凸部が設けられていることが好ましい。
【００１３】
第１保持部凸部と第２保持部凸部とは、延出基部に当接することにより延出基部をくねらせた状態とする突出高さを有しているため、第１保持部と第２保持部との間において導線の直径に対して余裕度を持たせることができる。このため、径が太い導線を用いる場合であっても、ある程度の太さまで対応することができ、第１の合せ面と第２の合せ面とを確実に合わさった状態として、第１保持部と第２保持部との間において確実に導線を固定することができる。
【００１４】
また、第１保持部の突出方向における突出端の第１保持部対向面には、延出基部へ向けて突出し延出基部に当接する第１保持部突出端凸部が設けられ、第２保持部の突出方向における突出端の第２保持部対向面には、導線の延出方向において第１保持部突出端凸部と一致する位置に配置され、延出基部へ向けて突出し、第１保持部突出端凸部と突出高さが等しく、延出基部に当接する第２保持部突出端凸部が設けられているため、第１保持部と第２保持部との間においてバランスよく導線を保持固定することができる。
【００１５】
更に、第１保持部の突出方向における突出端と第２保持部の突出方向における突出端とにより円形の開口が形成され、当該円形の開口から導線が筐体の外方へ延出する構成とすれば、当該円形の開口の全周にわたるようにして第１保持部突出端凸部及び第２保持部突出端凸部を設けることで、よりバランスよく導線を保持固定することができる。
【００１６】
また、該導線はケーブルからなり、該第１部材は、該ケーブルの一部において該ケーブルの外周面の周方向における一方の半周を覆う第１ケースからなり、該第１ケースの一端部及び他端部における該第１の合せ面には、それぞれ略半円形状をなし該ケーブルの一部の該一方の半周が係合する第１切欠きがそれぞれ形成され、該第２部材は、該ケーブルの一部において該ケーブルの外周面の周方向における他方の半周を覆う第２ケースからなり、該第２ケースの該一端部及び他端部における該第２の合せ面には、それぞれ略半円形状をなし該第１切欠きと対向し該ケーブルの一部の該他方の半周が係合する第２切欠きがそれぞれ形成され、該ケーブルは該第１切欠きと該第２切欠きとからなる貫通孔から該筐体外へ延出し、該貫通孔から該筐体外部へ延出した部分が該延出基部をなし、該第１保持部は、該第１切欠きを画成する該第１ケースの一端部から該ケーブルの延出方向へ延出する略半割円筒形状をなし、該第２保持部は、該第２切欠きを画成する該第２ケースの一端部から該ケーブルの延出方向へ延出する略半割円筒形状をなし、該筐体内には該ケーブルの一部を環装するように配置されたコアが収容され、ノイズ吸収装置として機能することが好ましい。
【００１７】
筐体内にはケーブルの一部を環装するように配置されたコアが収容され、ノイズ吸収装置として機能するため、ケーブルの損傷を防止するノイズ吸収装置とすることができる。また、第１ケースと第２ケースとを係合する係合の構成が破損したり、第１ケースに対する第２ケースの固定が外れてしまったりすることを防止するノイズ吸収装置とすることができる。
【００１８】
ここで、該第１保持部は、該第１切欠きを画成する該第１ケースの他端部から該ケーブルの延出方向へ延出する略半割円筒形状をなし、該第２保持部は、該第２切欠きを画成する該第２ケースの他端部から該ケーブルの延出方向へ延出する略半割円筒形状をなすことが好ましい。
【００１９】
第１保持部は、第１切欠きを画成する第１ケースの他端部からケーブルの延出方向へ延出する略半割円筒形状をなし、第２保持部は、第２切欠きを画成する第２ケースの他端部からケーブルの延出方向へ延出する略半割円筒形状をなすため、第１ケース、第２ケースの一端及び他端において第１保持部と第２保持部とを係合して、第１ケースと第２ケースとを互いに移動不能に固定することができ、バランスよく第１ケースに対して第２ケースを移動不能に固定することができる。
【００２０】
また、該導線は絶縁被覆されて絶縁被覆導線をなし、該第１部材は、該絶縁被覆導線の一端部において該絶縁被覆導線の外周面の周方向における一方の半周を覆うケースからなり、該ケースの一端部及び他端部における該第１の合せ面には、それぞれ略半円形状をなし該絶縁被覆導線の一端部の該一方の半周が係合する第１切欠きがそれぞれ形成され、該第２部材は、該絶縁被覆導線の一端部において該絶縁被覆導線の外周面の周方向における他方の半周を覆う蓋部材からなり、該蓋部材の該一端部及び他端部における該第２の合せ面には、それぞれ略半円形状をなし該第１切欠きと対向し該絶縁被覆導線の一端部の該他方の半周が係合する第２切欠きがそれぞれ形成され、該絶縁被覆導線は該第１切欠きと該第２切欠きとからなる貫通孔から該筐体外へ延出し、該貫通孔から該筐体外部へ延出した部分が該延出基部をなし、該第１保持部は、該第１切欠きを画成する該ケースの一端部から該絶縁被覆導線の延出方向へ延出する略半割円筒形状をなし、該第２保持部は、該第２切欠きを画成する該蓋部材の一端部から該絶縁被覆導線の延出方向へ延出する略半割円筒形状をなし、該筐体内には、該導線に電気的に接続されたコンデンサとトロイダルコアとを備え、ノイズフィルタとして機能することが好ましい。
【００２１】
筐体内には、導線に電気的に接続されたコンデンサとトロイダルコアとを備え、ノイズフィルタとして機能するため、絶縁被覆導線の損傷を防止するノイズフィルタとすることができる。また、ケースと蓋部材とを係合する係合の構成が破損したり、ケースに対する蓋部材の固定が外れてしまったりすることを防止するノイズフィルタとすることができる。
【００２２】
また、該第１保持部は、該第１切欠きを画成する該ケースの他端部から該絶縁被覆導線の延出方向へ延出する略半割円筒形状をなし、該第２保持部は、該第２切欠きを画成する該蓋部材の他端部から該絶縁被覆導線の延出方向へ延出する略半割円筒形状をなすことが好ましい。
【００２３】
第１保持部は、第１切欠きを画成するケースの他端部から絶縁被覆導線の延出方向へ延出する略半割円筒形状をなし、第２保持部は、第２切欠きを画成する蓋部材の他端部から絶縁被覆導線の延出方向へ延出する略半割円筒形状をなすため、ケース、蓋部材の一端及び他端において第１保持部と第２保持部とを係合して、ケースと蓋部材とを互いに移動不能に固定することができ、バランスよくケースに対して蓋部材を移動不能に固定することができる。
【００２４】
また、本発明は、第１の合せ面を持つ第１部材と、該第１の合せ面と合わさる第２の合せ面を持ち、該第１部材と協働して筐体を提供する第２部材とを備え、該第１部材の少なくとも一端部であって該第１の合せ面位置付近には、該第１の合せ面と該第２の合せ面とが整合する位置で該筐体の内部から該筐体外に延出するケーブルの延出方向に突出する第１保持部が、該ケーブルの延出基部の外周面の一部を覆うように該第１部材と一体に設けられ、該第１保持部が設けられた位置側の該第２部材の少なくとも一端部であって、該第２の合せ面位置付近には、該ケーブル延出方向に突出し該第１保持部と係合可能な第２保持部が該ケーブルの延出基部の外周面の他部を覆うように該第２部材と一体に設けられ、該第１保持部と該第２保持部との係合により、該一端部側でケーブルの延出基部の外周面を保持するとともに、該第１部材と該第２部材とを互いに移動不能に固定する電子機器を提供している。
【００２５】
第１部材の少なくとも一端部であって第１の合せ面位置付近には、第１の合せ面と第２の合せ面とが整合する位置で筐体の内部から筐体外に延出するケーブルの延出方向に突出する第１保持部が、ケーブルの延出基部の外周面の一部を覆うように第１部材と一体に設けられ、第１保持部が設けられた位置側の第２部材の少なくとも一端部であって、第２の合せ面位置付近には、ケーブル延出方向に突出し第１保持部と係合可能な第２保持部がケーブルの延出基部の外周面の他部を覆うように第２部材と一体に設けられ、第１保持部と第２保持部との係合により、一端部側でケーブルの延出基部の外周面を保持するとともに、第１部材と第２部材とを互いに移動不能に固定するため、第１部材、第２部材の部分にこれらを互いに移動不能に固定するための係合の構成を設けなくて済む。
【００２６】
また、第１保持部と第２保持部とは係合可能であり、第１保持部と第２保持部との係合により、一端部側でケーブルの延出基部の外周面を保持するため、ケーブルの半径方向において第１保持部及び第２保持部に対してケーブルの位置ずれが生じることを防止することができ、ケーブルがたわんだり、引っ張られたりして負荷がかかったりしたときに、ケーブルが損傷することを防止することができる。また、第１部材と第２部材とを係合するための係合の構成を第１部材、第２部材の部分に設けた場合には、ケーブルの当該位置ずれにより、第１部材に対する第２部材の固定が外れてしまうような大きな負荷がこれらの係合の構成にかかり、当該係合の構成が破損する恐れがある。しかし、第１保持部と第２保持部とが係合する構成としたことにより、ケーブルの位置ずれを防止することができ、当該係合の構成に大きな負荷がかかることを防止することができ、係合の構成が破損したり、第１部材に対する第２部材の固定が外れてしまったりすることを防止することができる。
【００２７】
ここで、該第１保持部の部分であって該延出基部の外周面に対向する第１保持部対向面には、該延出基部の外周面へ向けて突出し該延出基部に当接する第１保持部凸部が設けられ、該第２保持部の部分であって該延出基部の外周面に対向する第２保持部対向面には、該ケーブルの延出方向において該第１保持部凸部と異なる位置に配置され、該延出基部の外周面へ向けて突出し該延出基部に当接する第２保持部凸部が設けられていることが好ましい。
【００２８】
第１保持部の部分であって延出基部の外周面に対向する第１保持部対向面には、延出基部の外周面へ向けて突出し延出基部に当接する第１保持部凸部が設けられ、第２保持部の部分であって延出基部の外周面に対向する第２保持部対向面には、ケーブルの延出方向において第１保持部凸部と異なる位置に配置され、延出基部の外周面へ向けて突出し延出基部に当接する第２保持部凸部が設けられているため、ケーブルの軸方向においてケーブルがずれることを防止することができ、ケーブルの位置を第１保持部と第２保持部との間で、より確実に固定することができる。
【００２９】
また、該第１保持部凸部と該第２保持部凸部とは、該延出基部に当接することにより該延出基部をくねらせた状態とする突出高さを有し、該第１保持部の突出方向における突出端の該第１保持部対向面には、該延出基部へ向けて突出し該延出基部に当接する第１保持部突出端凸部が設けられ、該第２保持部の突出方向における突出端の該第２保持部対向面には、該ケーブルの延出方向において該第１保持部突出端凸部と一致する位置に配置され、該延出基部へ向けて突出し、該第１保持部突出端凸部と突出高さが等しく、該延出基部に当接する第２保持部突出端凸部が設けられていることが好ましい。
【００３０】
第１保持部凸部と第２保持部凸部とは、延出基部に当接することにより延出基部をくねらせた状態とする突出高さを有しているため、第１保持部と第２保持部との間においてケーブルの直径に対して余裕度を持たせることができる。このため、径が太いケーブルを用いる場合であっても、ある程度の太さまで対応することができ、第１の合せ面と第２の合せ面とを確実に合わさった状態として、第１保持部と第２保持部との間において確実にケーブルを固定することができる。
【００３１】
また、第１保持部の突出方向における突出端の第１保持部対向面には、延出基部へ向けて突出し延出基部に当接する第１保持部突出端凸部が設けられ、第２保持部の突出方向における突出端の第２保持部対向面には、ケーブルの延出方向において第１保持部突出端凸部と一致する位置に配置され、延出基部へ向けて突出し、第１保持部突出端凸部と突出高さが等しく、延出基部に当接する第２保持部突出端凸部が設けられているため、第１保持部と第２保持部との間においてバランスよくケーブルを保持固定することができる。
【００３２】
更に、第１保持部の突出方向における突出端と第２保持部の突出方向における突出端とにより円形の開口が形成され、当該円形の開口からケーブルが筐体の外方へ延出する構成とすれば、当該円形の開口の全周にわたるようにして第１保持部突出端凸部及び第２保持部突出端凸部を設けることで、よりバランスよくケーブルを保持固定することができる。
【発明の効果】
【００３３】
以上により、本発明は、部品点数が少なく、筐体の内部から外部へと導線又はケーブルが延出する筐体の貫通孔の部分において導線又はケーブルが貫通孔の半径方向において位置ずれすることを防止し、更に、第１部材と第２部材とをより強固に互いに固定する電子部品及び電子機器を提供することができる。
【発明を実施するための最良の形態】
【００３４】
本発明の第１の実施の形態による電子部品について図１乃至図４を参照しながら説明する。電子部品は、具体的にはケーブルの一部を環装するノイズ吸収装置であり、図１に示されるように、ノイズ吸収装置１は、ケース１０とコア２とを有している。ケース１０は、コア２を保持する筐体をなし、同一形状をなす樹脂製の一対のケース部１１−１、１１−２から構成されている。ケース部１１−１、１１−２はそれぞれ第１ケース、第２ケースに相当する。
【００３５】
ケース部１１−１、１１−２は、それぞれ外周部１２と一対の側面部１３、１４とを有しており、外周部１２は、図２に示されるように、円筒を軸方向に平行な断面で二分割した半割り形状をなしている。一方のケース部１１−１の当該半割りの分割面は、第１の合せ面１１−１Ａをなし、他方のケース部１１−２の当該半割りの分割面は第２の合せ面１１−２Ａをなし、第１の合せ面１１−１Ａと第２の合せ面１１−２Ａとが合わさることで、一方のケース部１１−１と他方のケース部１１−２とで協同して筐体たるケース１０を提供する。一方のケース部１１−１は、後述の図示せぬケーブルの一部において図示せぬケーブルの外周面の周方向における一方の半周を覆い、他方のケース部１１−１は、図示せぬケーブルの一部において図示せぬケーブルの外周面の周方向における他方の半周を覆うように構成されている。第１の合せ面１１−１Ａと第２の合せ面１１−２Ａとが合わさった状態のときの第１の合せ面１１−１Ａ、第２の合せ面１１−２Ａの位置は、これらの面が整合する位置に相当する。
【００３６】
ケース部１１−１、１１−２の外周部１２と一対の側面部１３、１４とは一体に構成されている。一体に構成された一対の側面部１３、１４及び外周部１２は、後述のようにコア２の軸方向の一端面及び他端面と外周面とを覆っている。図１に示されるように、外周部１２と一対の側面部１３、１４とで囲まれる部分には、後述のコア部２Ａを収容する収容部１１ａ（図４）が形成されている。
【００３７】
図１等に示されるように、外周部１２の周方向略中央部分には、一対の押さえ片１５が設けられており、押さえ片１５は外周部１２を構成する壁の一部が切り抜かれて外周部１２の直径方向軸心側、即ち、図１の下方に向かって折り曲げられて構成されている。図１に示されるように、一方のケース部１１−１と他方のケース部１１−２とを対象的な位置関係で合わせてケース１０をなしている状態で、一方のケース部１１−１の外周部１２の押さえ片１５、１５に対向する箇所となる部分には、他方のケース部１１−２の一対の押さえ片１５、１５がそれぞれ設けられている。一方のケース部１１−１の押さえ片１５、１５と他方のケース部１１−２の押さえ片１５、１５とは、互いに対向する方向に付勢力を発揮するように構成されている。
【００３８】
側面部１３、１４の外周部１２と接続されている部分の近傍の部分であって第一の合せ面、第２の合せ面１１−２Ａの位置には、図３に示されるように、それぞれ側面部１３、１４の内面から収容部１１ａ内に突出する掛止部１３Ａ、１４Ａが設けられている。掛止部１３Ａ、１４Ａは、それぞれ後述のコア部２Ａの切欠き２ａに係合可能である。
【００３９】
一方のケース部１１−１の側面部１３、１４には、図３に示されるように切欠き１３ａ、１４ａが形成されている。切欠き１３ａ、１４ａは外周部１２と同軸的な位置関係をなす半円形状をなしており、当該半円の直径に相当する位置が、一方のケース部１１−１の第１の合せ面１１−１Ａにおいて他方のケース部１１−２の方向へ向けて、即ち、図２の上方へ向けて開口している。また、一方のケース部１１−１と他方のケース部１１−２とは同一形状であることから、他方のケース部１１−２の側面部１３、１４にも、図４に示されるように、切欠き１３ａ、１４ａと同一形状の切欠き１３ａ、１４ａが形成されている。
【００４０】
一方のケース部１１−１の切欠き１３ａ、１４ａは第１切欠きに相当し、他方のケース部１１−２の切欠き１３ａ、１４ａは第２切欠きに相当する。第１切欠きに相当する切欠き１３ａ、１４ａには図示せぬケーブルの一部の一方の半周が係合可能であり、第２切欠きに相当する切欠き１３ａ、１４ａには図示せぬケーブルの一部の他方の半周が係合可能である。図１に示されるように、一方のケース部１１−１と他方のケース部１１−２とが合わさってケース１０を提供しているときに、第１切欠きに相当する切欠き１３ａ、１４ａと第２切欠きに相当する切欠き１３ａ、１４ａとにより、円形状をした貫通孔がケース１０に形成され、ケース１０内部から外部へとケーブルが延出可能に構成されている。また、一方のケース部１１−１の側面部１３の側、即ち図１の左下方の側はケース１０の一端部に相当し、一方のケース部１１−１の側面部１４の側、即ち、図１の右上方の側はケース１０の他端部に相当する。
【００４１】
一方のケース部１１−１の側面部１３、１４には、図３に示されるように、それぞれ保持部１６、１７が設けられている。保持部１６、１７は、それぞれ円筒を半割りした形状をなしており、その軸方向が、側面部１３、１４の切欠き１３ａ、１４ａを画成している部分から外周部１２の軸方向へ向けて側面部１３、１４から突出して、側面部１３、１４と一体で設けられている。保持部１６、１７の内周面には、図示せぬケーブルの一部が対向配置され、保持部１６、１７により当該ケーブルの後述の延出基部の周方向における一方の半周を覆うように構成されている。保持部１６、１７の突出方向は図示せぬケーブルの延出方向に一致する。
【００４２】
ケース１０の一端部に相当する一方のケース部１１−１の側面部１３の側に設けられた保持部１６には、図１に示されるように一対のフック１６Ａが設けられている。フック１６Ａは、当該半割り形状をした保持部１６の当該半割りの略直径方向において、保持部１６の周面からそれぞれ突出している。なお、図１〜図３ではフック１６Ａは一方のみ現れている。
【００４３】
ケース１０の他端部に相当する一方のケース部１１−１の側面部１４の側に設けられた保持部１７には、一対のフック受け部１７Ａ、１７Ａが設けられている。フック受け部１７Ａは、当該半割り形状をした保持部１７の当該半割りの略直径方向において、当該直径方向に相当する半割面たる第１の合せ面１１−１Ａからそれぞれ当該第１の合せ面１１−１Ａに垂直の方向、即ち、図３の上方へ突出している。フック受け部１７Ａは中央に貫通孔１７ａが形成された略ロの字形状をなしており、当該貫通孔１７ａに保持部１６のフック１６Ａが嵌合することにより、フック１６Ａとフック受け部１７Ａは互いに係合し合い、このことにより第１保持部たる一方のケース部１１−１の保持部１６を第２保持部たる他方のケース部１１−２の保持部１７に対して係合させて移動不能に固定することにより、一方のケース部１１−１を他方のケース部１１−２に対して移動不能に固定する。
【００４４】
また、一方のケース部１１−１の側面部１３、１４の保持部１６、１７の内周面には、それぞれ中間リブ１６Ｂ、１７Ｂと突出端リブ１６Ｃ、１７Ｃとが設けられている。中間リブ１６Ｂ、１７Ｂは図３に示されるように、それぞれの保持部１６、１７の内周面であって保持部１６、１７の突出方向の基部寄りの位置と中間の位置とに１つずつ設けられており、内周面の周方向における一端から他端に渡って延出している。突出端リブ１６Ｃ、１７Ｃは、第１保持部の突出端の内周面に設けられており、内周面の周方向における一端から他端に渡って延出している。また、一方のケース部１１−１の保持部１６、１７の内周面は第１保持部対向面に相当し、一方のケース部１１−１と同一形をした他方のケース部１１−２の保持部１６、１７の内周面は第２保持部対向面に相当する。
【００４５】
一方のケース部１１−１と他方のケース部１１−２とは同一形状であることから、図２に示されるように、他方のケース部１１−２の側面部１３、１４にも、それぞれ一方のケース部１１−１の保持部１６、１７と同一形状をなし中間リブ１６Ｂ、１７Ｂ、突出端リブ１６Ｃ、１７Ｃやフック１６Ａ、フック受け部１７Ａを有する保持部１６、１７がそれぞれ設けられており、保持部１６、１７の内周面には、図示せぬケーブルの一部が対向配置され、保持部１６、１７により当該ケーブルの延出基部の周方向における他方の半周を覆うように構成されている。但し、図１に示されるように、ケース１０の一端部に相当する他方のケース部１１−２の側面部１４の側にフック受け部１７Ａを有する保持部１７が設けられ、ケース１０の他端部に相当する他方のケース部１１−２の側面部１３の側にフック１６Ａを有する保持部１６が設けられる。
【００４６】
また、図４に示されるように、他方のケース部１１−２の第２保持部に相当する保持部１７に設けられた中間リブ１７Ｂ、１７Ｂは、一方のケース部１１−１の第１保持部に相当する保持部１６の互いに隣接する２つの中間リブ１６Ｂ、１６Ｂの略中央の位置に対向する位置と、その位置から保持部１７の突出する方向へ、第１保持部に相当する保持部１６の隣接する２つの中間リブ１６Ｂ、１６Ｂ間の距離だけ移動した位置とにそれぞれ設けられている。
【００４７】
同様に、図４に示されるように、他方のケース部１１−２の第２保持部に相当する保持部１６に設けられた中間リブ１６Ｂ、１６Ｂは、一方のケース部１１−１の第１保持部に相当する保持部１７の互いに隣接する２つの中間リブ１７Ｂ、１７Ｂの略中央の位置に対向する位置と、その位置から切欠き１３ａの方向へ、第１保持部に相当する保持部１７の隣接する２つの中間リブ１７Ｂ、１７Ｂ間の距離だけ移動した位置とにそれぞれ設けられている。
【００４８】
従って、第２保持部に相当する他方のケース部１１−２の保持部１７、１６の中間リブ１７Ｂ、１６Ｂは、それぞれ保持部１６、１７の突出方向において、即ち後述する図示せぬケーブルの延出方向において第１保持部に相当する一方のケース部１１−１の保持部１６、１７の中間リブ１６Ｂ、１７Ｂとは異なる位置に配置されていることになる。このような位置関係にある一方のケース部１１−１の保持部１６、１７の中間リブ１６Ｂ、１７Ｂと、他方のケース部１１−２の保持部１７、１６の中間リブ１７Ｂ、１６Ｂとを有するため、図示せぬケーブルの軸方向たる延出方向においてケーブルがずれることを防止することができ、ケーブルの位置を保持部１６、１７間で、より確実に固定することができる。
【００４９】
一方のケース部１１−１の保持部１６、１７の中間リブ１６Ｂ、１７Ｂの突出高さは他方のケース部１１−２の保持部１７、１６の中間リブ１７Ｂ、１６Ｂの突出高と等しい。また、図４に示されるように、一方のケース部１１−１の保持部１６、１７の内周面と、他方のケース部１１−２の保持部１７、１６の内周面とにより略円柱形状をした空間が画成され、この空間内にこの空間の軸方向と略同一の方向に延出するようにして図示せぬケーブルが配置されるのであるが、この空間の直径Ｒ１＋Ｒ１（図４）は図示せぬケーブルの外径よりも大きい。また、図示せぬケーブルの半径と保持部１６、１７の中間リブ１６Ｂ、１７Ｂの突出高さとの和は、当該略円柱形状をした空間の半径Ｒ１（図４）よりも大きい。
【００５０】
このため、図示せぬケーブルの外周面を保持部１６、１７の内周面に対向させて、保持部１７、１６の内周面により画成される略円柱形状をした空間内に図示せぬケーブルを配置させ、図示せぬケーブルの外周面を中間リブ１６Ｂ、１７Ｂに当接させたときに、当該空間内において図示せぬケーブルを、一方のケース部１１−１の保持部１６、１７の中間リブ１６Ｂ、１７Ｂと、他方のケース部１１−２の保持部１７、１６の中間リブ１７Ｂ、１６Ｂとによりくねらせた状態として、保持部１６、１７により図示せぬケーブルを保持固定できる。一方のケース部１１−１の切欠き１３ａと他方のケース部１１−２の切欠き１４ａとにより画成される貫通孔からケース１０外部へ延出する図示せぬケーブルの部分であって、一方のケース部１１−１の保持部１６と他方のケース部１１−２の保持部１７とにより保持固定されるケーブルの部分は、ケーブルの延出基部に相当する。同様に、一方のケース部１１−１の切欠き１４ａと他方のケース部１１−２の切欠き１３ａとにより画成される貫通孔からケース１０外部へ延出する図示せぬケーブルの部分であって、一方のケース部１１−１の保持部１７と他方のケース部１１−２の保持部１６とにより保持固定されるケーブルの部分は、ケーブルの延出基部に相当する。
【００５１】
このように、当該空間内において図示せぬケーブルを、一方のケース部１１−１の保持部１６、１７の中間リブ１６Ｂ、１７Ｂと、他方のケース部１１−２の保持部１７、１６の中間リブ１７Ｂ、１６Ｂとによりくねらせた状態として、保持部１６、１７により図示せぬケーブルを保持固定できる構成となっているため、一方のケース部１１−１の保持部１６、１７の内周面と、他方のケース部１１−２の保持部１７、１６の内周面との間において図示せぬケーブルの直径に対して余裕度を持たせることができる。このため、径が太いケーブルを用いる場合であっても、このケース１０によりある程度の太さまで対応することができ、第１の合せ面１１−１Ａと第２の合せ面１１−２Ａとを確実に合わさった状態として、一方のケース部１１−１の保持部１６、１７と、他方のケース部１１−２の保持部１７、１６との間において確実にケーブルを固定することができる。
【００５２】
また、他方のケース部１１−２の保持部１７、１６の突出端リブ１７Ｃ、１６Ｃの突出高さは一方のケース部１１−１の保持部１６、１７の突出端リブ１６Ｃ、１７Ｃの突出高さと同一である。また、他方のケース部１１−２の突出端リブ１７Ｃ、１６Ｃの突出高さと、一方のケース部１１−１の突出端リブ１６Ｃ、１７Ｃの突出高さと、図示せぬケーブルの外径との和は、一方のケース部１１−１の保持部１６、１７の内周面及び他方のケース部１１−２の保持部１７、１６の内周面により画成される略円柱形状をした空間の直径Ｒ１＋Ｒ１（図４）に略等しい。
【００５３】
従って、図示せぬケーブルの外周面が一方のケース部１１−１の突出端リブ１６Ｃ、１７Ｃと他方のケース部１１−２の保持部１７、１６の突出端リブ１７Ｃ、１６Ｃとに当接することにより、保持部１７、１６の突出端において、一方のケース部１１−１の保持部１６、１７の内周面の全周及び他方のケース部１１−２の保持部１７、１６の内周面の全周にわたり保持部１６、１７の半径方向において同一の高さで図示せぬケーブルの外周面を支持することができ、保持部１６、１７と同軸的にケーブルを支持でき、バランスよく保持固定することができる。他方のケース部１１−２の保持部１７、１６の突出端リブ１７Ｃ、１６Ｃは第２保持部突出端凸部に相当する。また、他方のケース部１１−２の保持部１７、１６の内周面は第２保持部対向面に相当する。
【００５４】
収容部１１ａ内にはコア２が設けられている。コア２は、特に高周波領域まで対応できるようにノイズを効果的に除去すべく、Ｎｉ−Ｚｎ系フェライトを基材として構成されており、図２等に示されるように、円筒が軸方向と平行な断面で二分割された同一形状のコア部２Ａ、２Ａから構成されている。コア２は、その軸方向長さがケース１０の軸方向における側面部１３、１４間の長さよりも短く、収容部１１ａ、１１ａ（図４）にコア部２Ａ、２Ａが収容される。またコア部２Ａ、２Ａはその軸方向に延びる一対の当接面２Ｃ、２Ｃを有している。一方のコア部２Ａの当接面２Ｃと他方のコア部２Ａの当接面２Ｃとを対向当接させることにより、略円筒形状をなすコア２が構成され、コア２の内周面によって略円筒形状のコア２を軸方向に貫通し、図示せぬケーブルを挿通可能な貫通孔が画成される。従って、コア２は図示せぬケーブルの一部を環装するように構成されている。
【００５５】
コア部２Ａの軸方向における端面であって当接面２Ｃに接続される位置には、図３に示されるように切欠き２ａが形成されている。切欠き２ａは、コア部２Ａの軸方向における端面であって当接面２Ｃに接続される位置を段状に切欠いた形状をなしており、側面部１３、１４に設けられた掛止部１３Ａ、１４Ａがそれぞれ係合可能である。掛止部１３Ａ、１４Ａの切欠き２ａ、２ａへの係合により、図２に示されるように、一方のケース部１１−１から他方のケース部１１−２を外した状態のときに、コア部２Ａ、２Ａが一方のケース部１１−１、他方のケース部１１−２から外れ落ちてしまうことを防止できるように構成されている。
【００５６】
一方のケース部１１−１の保持部１６、１７と他方のケース部１１−２の保持部１７、１６との係合により、ケース１０の一端部及び他端部において図示せぬケーブルの延出基部の外周面を保持するとともに、一方のケース部１１−１と他方のケース部１１−２とを互いに移動不能に固定することができる。このため、一方のケース部１１−１と他方のケース部１１−２とを互いに移動不能に固定するための係合の構成を一方のケース部１１−１の部分と他方のケース部１１−２の部分とに別途設けなくて済む。
【００５７】
また、一方のケース部１１−１の保持部１６、１７のフック１６Ａ、フック受け部１７Ａと、他方のケース部１１−２の保持部１７、１６のフック受け部１７Ａ、フック１６Ａとの係合により、ケース１０の一端部及び他端部において図示せぬケーブルの延出基部の外周面を保持することができる。このため、図示せぬケーブルの半径方向において保持部１６、１７に対してケーブルの位置ずれが生じることを防止することができる。この結果、図示せぬケーブルがたわんだり、引っ張られたりして負荷がかかったりしたときに、ケーブルが損傷することを防止することができる。
【００５８】
また、フック１６Ａ及びフック受け部１７Ａに大きな負荷がかかることを防止することができ、フック１６Ａ及びフック受け部１７Ａが破損したり、フック１６Ａがフック受け部１７Ａから外れ、一方のケース部１１−１に対する他方のケース部１１−２の固定が外れてしまったりすることを防止することができる。また、ケース１０の一端部及び他端部においてそれぞれ保持部１６、１７が設けられて図示せぬケーブルが保持されるため、一方のケース部１１−１に対して他方のケース部１１−２をバランスよく移動不能に固定することができる。
【００５９】
次に、本発明の第２の実施の形態による電子部品について図５乃至図１０を参照しながら説明する。電子部品はノイズフィルタたるＬＣフィルタであり、より具体的にはＡＣ電源ライン用ＥＭＣフィルタである。図５に示されるようにノイズフィルタ１０１は、略直方体形状をなし底面が全面で開口する樹脂製のケース１１１−１と、当該開口を閉塞する略板状の略長方形状をなす樹脂製の底蓋１１１−２とを有している。ケース１１１−１の底面の開口を画成する部分と底蓋１１１−２の周縁とは、図６に示されるように、ケース１１１−１の底面の開口が底蓋１１１−２により閉塞されているときに互いに合わさるように構成されている。この状態のときに、ケース１１１−１と底蓋１１１−２とが協働してノイズフィルタ１０１の筐体１１０を提供する。ケース１１１−１は第１部材に相当し、底蓋１１１−２は第２部材、蓋部材に相当する。
【００６０】
図５に示されるように、ケース１１１−１の底面に対向する上面１１２Ａ及び、上面１１２Ａに接続された一対の側面１１２Ｂ、１１２Ｃには、これらをケース１１１−１の外側から略全面で覆うようにして金属板１２０が設けられている。上面１１２Ａ上の金属板１２１と一対の側面１１２Ｂ、１１２Ｃ上の金属板１２２、１２２とは、一枚の板状をした金属板が曲げられることにより一体で構成されている。一対の側面１１２Ｂ、１１２Ｃ上の金属板１２２、１２２の一部であって底面側の端縁は、ケース１１１−１の外方であって当該一対の側面１１２Ｂ、１１２Ｃから垂直に離間する方向に略三角形状に延出する延出部１２３、１２３が、当該一対の側面１１２Ｂ、１１２Ｃ上の金属板１２２、１２２に一体で接続されている。
【００６１】
また、ケース１１１−１の上面１１２Ａ上に設けられた金属板１２１の部分には、ケース１１１−１の上面１１２Ａを貫通してケース１１１−１内部へ入りケース１１１−１の底面近傍位置に至るまで延出する内方延出部１２１Ａが設けられている。内方延出部１２１Ａの延出端は、ケース１１１−１内に収容された図示せぬＹコンデンサと電気的に接続される。後述のように第１保持部１１６及び第２保持部１１７で絶縁被覆導線１０３の延出基部を保持しているときに、ケース１１１−１は当該絶縁被覆導線１０３の一端部において外周面の周方向における一方の半周を覆うように構成されており、底蓋１１１−２は、当該絶縁被覆導線１０３の一端部において外周面の周方向における他方の半周を覆うように構成されている。なお、絶縁被覆導線１０３は、説明の便宜上図５等において所定の位置で途切れて示されているが、実際には、この位置で切断されているものではなく、様々な長さになっている。
【００６２】
略長方形状をしたケース１１１−１の底面の開口は、図７に示されるように、互いに対向する一対の長辺部１１１−１Ｂ、１１１−１Ｂと互いに対向する一対の短辺部１１１−１Ｃ、１１１−１Ｃとにより規定されているが、一対の短辺部１１１−１Ｃ、１１１−１Ｃは一対の長辺部１１１−１Ｂ、１１１−１Ｂよりもケース１１１−１の上面１１２Ａ寄りの位置に後退している。一方、底蓋１１１−２は、図９等に示されるように、ケース１１１−１の底面に略一致する略長方形状をなす板状部１１１−２Ｂと、略長方形状をした板状部１１１−２Ｂの一対の短辺から板状部１１１−２Ｂの面に垂直に立設する一対の立設部１１１−２Ｃとを有している。立設部１１１−２Ｃは板状部１１１−２Ｂと一体で構成されており、立設部１１１−２Ｃの上端面は第２の合せ面１１１−２Ａをなし、ケース１１１−１の底面を規定する短辺部１１１−１Ｃ、１１１−１Ｃの下面とが互いに合わさる。ケース１１１−１の底面を規定する短辺部１１１−１Ｃ、１１１−１Ｃの下面は第１の合せ面１１１−１Ａをなす。第１の合せ面１１１−１Ａと第２の合せ面１１１−２Ａとが合わさった状態のときの第１の合せ面１１１−１Ａ、第２の合せ面１１１−２Ａの位置は、これらの面が整合する位置に相当する。
【００６３】
図７に示されるように、ケース１１１−１の底面の開口を画成する一対の長辺部１１１−１Ｂ、１１１−１Ｂには溝１１１−１ａが形成されており、溝１１１−１ａと底蓋１１１−２の板状部１１１−２Ｂの長手方向に沿った周縁とは、図６に示されるように、ケース１１１−１の底面の開口が底蓋１１１−２により閉塞されているときに互いに係合するように構成されている。
【００６４】
図７等に示されるように、第１の合せ面１１１−１Ａの一部であって略長方形状をしたケース１１１−１の底面の開口の四隅近傍の位置には、第１切欠き１１３ａが形成されている。第１切欠き１１３ａは半円形状をなしており、当該半円の直径に相当する位置が、第１の合せ面１１１−１Ａにおいて底蓋１１１−２の方向へ向けて、即ち、図７の上方へ向けて開口している。略長方形状をしたケース１１１−１の底面の開口を規定し第１の合せ面１１１−１Ａを規定する互いに対向する一対の短辺のうちの一方はケース１１１−１の一端部１１３をなし、他方は他端部１１４をなす。
【００６５】
第１の合せ面１１１−１Ａ近傍の部分であって略長方形状をしたケース１１１−１の一端部１１３及び他端部１１４における底面の開口の四隅近傍の位置には、それぞれ第１保持部１１６が計４つ設けられている。第１保持部１１６は、それぞれ円筒を半割りした形状をなしており、その軸方向が、ケース１１１−１の一端部１１３及び他端部１１４の第１切欠き１１３ａを画成している部分からケース１１１−１の一端部１１３及び他端部１１４をなすケース１１１−１の側面１１２Ｂ、１１２Ｃに垂直の方向へ向けてケース１１１−１外方へ突出して、ケース１１１−１と一体で設けられている。第１保持部１１６の円筒を半割りした半割り面は第１の合せ面１１１−１Ａと面一である。
【００６６】
第１保持部１１６の内周面には、図７等に示されるように、絶縁被覆導線１０３の一端部の外周面が対向配置され、第１保持部１１６により絶縁被覆導線１０３の一端部近傍をなす後述の延出基部の周方向における一方の半周を覆うように構成されている。第１保持部１１６の突出方向は絶縁被覆導線１０３の延出方向に一致する。
【００６７】
円筒を半割りした形状をした第１保持部１１６には、図８等に示されるように、それぞれ一対のフック１１６Ａが設けられている。フック１１６Ａは、当該半割り形状をした第１保持部１１６の略直径方向において、第１保持部１１６の周面からそれぞれ突出している。また、第１保持部１１６の内周面には中間リブ１１６Ｂと突出端リブ１１６Ｃとが設けられている。中間リブ１１６Ｂは図８等に示されるように、それぞれの第１保持部１１６の内周面であって第１保持部１１６の突出方向の中間の位置に２つずつ設けられており、内周面の周方向における一端から他端に渡って延出している。突出端リブ１１６Ｃは、第１保持部１１６の突出端の内周面に設けられており、内周面の周方向における一端から他端に渡って延出している。また、第１保持部１１６の内周面は第１保持部対向面に相当する。
【００６８】
ケース１１１−１内であって第１切欠き１１３ａに対向する位置には端子１１８が設けられている。端子１１８は、図８等に示されるように、その一端が略Ｃ字形状部をなしており、絶縁被覆導線１０３の一端部において絶縁被覆導線１０３を構成する導線の一端部が、端子１１８の当該略Ｃ字形状部にかしめにより固定され、更に半田付けされる。端子１１８には、また、図示せぬＸコンデンサやＹコンデンサやトロイダルコアが電気的に接続される。端子１１８の他端部は、図１０に示されるように、ケース１１１−１に形成された溝１１１−１ｂに嵌合してケース１１１−１に固定されている。なお、図７では説明の便宜上、４本の絶縁被覆導線１０３のうちの１本を一部二点鎖線にて図示し、また、図８では２本の絶縁被覆導線１０３のうちの１本のみを図示している。また、実際には、前述のように絶縁被覆導線１０３の一端部において、絶縁被覆導線１０３を構成する導線の部分が端子１１８の略Ｃ字形状部に半田付けされるが、説明の便宜上、図７、図８、図１０では、絶縁被覆導線１０３の一端部を端子１１８の略Ｃ字形状部に至るまで引き出し、その部分において切断した状態で示している。
【００６９】
底蓋１１１−２の立設部１１１−２Ｃの上端面たる第２の合せ面１１１−２Ａの長手方向における一端及び他端の位置であって、ケース１１１−１の底面の開口が底蓋１１１−２により閉塞されているときに第１切欠き１１３ａに対向する位置には、第２切欠き１１４ａが形成されている。図９等に示されるように、第２切欠き１１４ａは半円形状をなしており、当該半円の直径に相当する位置が、底蓋１１１−２の立設部１１１−２Ｃの上端面たる第２の合せ面１１１−２Ａにおいてケース１１１−１の方向へ向けて、即ち、図９の上方へ向けて開口している。図５等に示されるように、ケース１１１−１と底蓋１１１−２とが合わさって筐体１１０を提供しているときに、第１切欠き１１３ａと第２切欠き１１４ａとにより円形状をした貫通孔が筐体１１０に形成され、筐体１１０内部から外部へと絶縁被覆導線１０３が延出可能に構成されている。底蓋１１１−２の立設部１１１−２Ｃのうちの一方は底蓋１１１−２の一端部１２４（図６）に相当し、他方は他端部１２５に相当する。
【００７０】
底蓋１１１−２の立設部１１１−２Ｃの上端面たる第２の合せ面１１１−２Ａの長手方向における一端及び他端の位置であってケース１１１−１の底面の開口が底蓋１１１−２により閉塞されているときに第１保持部１１６に対向する位置には、それぞれ第２保持部１１７が１つずつ計４つ設けられている。第２保持部１１７は、それぞれ円筒を半割りした形状をなしており、その軸方向が、立設部１１１−２Ｃが蓋部材の板状部１１１−２Ｂから延出する方向に垂直の方向へ立設部１１１−２Ｃから離間するように突出して、立設部１１１−２Ｃと一体で設けられている。第２保持部１１７の内周面には、図１０等に示されるように、絶縁被覆導線１０３の外周面が対向配置され、第２保持部１１７により絶縁被覆導線１０３の一端部近傍をなす後述の延出基部の周方向における他方の半周を覆うように構成されている。第２保持部１１７の突出方向は絶縁被覆導線１０３の延出方向に一致する。第２保持部１１７の略直径方向において当該直径方向に相当する半割面は、第２の合せ面１１１−２Ａと面一である。
【００７１】
円筒を半割りした形状をした第２保持部１１７にはそれぞれ一対のフック受け部１１７Ａが設けられている。フック受け部１１７Ａは、当該半割り形状をした第２保持部１１７の略直径方向において、当該直径方向に相当する半割面からそれぞれ当該半割り面に垂直の方向且つ第１保持部１１６の方向、即ち、図９の上方へ突出している。フック受け部１１７Ａは中央に貫通孔１１７ａが形成された略ロの字形状をなしており、当該貫通孔１１７ａに第１保持部１１６のフック１１６Ａが嵌合することにより、フック１１６Ａとフック受け部１１７Ａは互いに係合し合い、このことにより第１保持部１１６を第２保持部１１７に対して係合させて移動不能に固定することにより、ケース１１１−１を底蓋１１１−２に対して移動不能に固定する。
【００７２】
また、第２保持部１１７の内周面には第１保持部１１６と同様に中間リブ１１７Ｂと突出端リブ１１７Ｃとが設けられている。中間リブ１１７Ｂは図１０等に示されるように、それぞれの第２保持部１１７の内周面に設けられており、第１保持部１１６の互いに隣接する２つの中間リブ１１６Ｂ、１１６Ｂの略中央の位置に対向する位置と、その位置から第２保持部１１７の突出端の方向へ、第１保持部１１６の互いに隣接する２つ中間リブ１１６Ｂ、１１６Ｂ間の距離だけ移動した位置とにそれぞれ計２つ設けられており、内周面の周方向における一端から他端に渡って延出している。
【００７３】
従って、第２保持部１１７の中間リブ１１７Ｂは、それぞれ第１保持部１１６及び第２保持部１１７の突出方向、即ち絶縁被覆導線１０３の延出方向において第１保持部１１６の中間リブ１１６Ｂとは異なる位置に配置されていることになる。このような位置関係にある第１保持部１１６の中間リブ１１６Ｂと第２保持部１１７の中間リブ１１７Ｂとを有するため、絶縁被覆導線１０３の軸方向たる延出方向において絶縁被覆導線１０３がずれることを防止することができ、絶縁被覆導線１０３の位置を第１保持部１１６と第２保持部１１７との間で、より確実に固定することができる。
【００７４】
第１保持部１１６の中間リブ１１６Ｂの突出高さは第２保持部１１７の中間リブ１１７Ｂの突出高と等しい。また、第１保持部１１６の内周面及び第２保持部１１７の内周面により略円柱形状をした空間が画成され、図５〜図８に示されるように、この空間内にこの空間の軸方向と略同一の方向に延出するようにして絶縁被覆導線１０３が配置されるが、この空間の直径Ｒ２＋Ｒ２（図１０）は絶縁被覆導線１０３の外径よりも大きい。また、絶縁被覆導線１０３の半径と第１保持部１１６、第２保持部１１７の中間リブ１１７Ｂの高さとの和は、当該略円柱形状をした空間の半径Ｒ２（図１０）よりも大きい。
【００７５】
このため、図５〜図８に示されるように、絶縁被覆導線１０３の外周面を第１保持部１１６の内周面及び第２保持部１１７の内周面に対向させて、第１保持部１１６の内周面及び第２保持部１１７の内周面により画成される略円柱形状をした空間内に絶縁被覆導線１０３を配置させ、絶縁被覆導線１０３の外周面を中間リブ１１６Ｂ、１１７Ｂに当接させたときに、図１０に示されるように、当該空間内において絶縁被覆導線１０３を、第１保持部１１６の中間リブ１１６Ｂと第２保持部１１７の中間リブ１１７Ｂとによりくねらせた状態として、第１保持部１１６と第２保持部１１７とにより絶縁被覆導線１０３を保持固定できる。第１切欠き１１３ａ及び第２切欠き１１４ａにより画成される貫通孔から筐体１１０外部へ延出する絶縁被覆導線１０３の部分であって、第１保持部１１６と第２保持部１１７とにより保持固定される絶縁被覆導線１０３の部分は、絶縁被覆導線１０３の延出基部に相当する。
【００７６】
このように、当該空間内において絶縁被覆導線１０３を、第１保持部１１６の中間リブ１１６Ｂと第２保持部１１７の中間リブ１１７Ｂとによりくねらせた状態として、第１保持部１１６と第２保持部１１７とにより絶縁被覆導線１０３を保持固定できる構成となっているため、第１保持部１１６の内周面と第２保持部１１７の内周面との間において絶縁被覆導線１０３の直径に対して余裕度を持たせることができる。このため、径が太い絶縁被覆導線１０３を用いる場合であっても、この第１保持部１１６及び第２保持部１１７が設けられたケース１１１−１及び底蓋１１１−２で、ある程度の太さまで対応することができ、第１の合せ面１１１−１Ａと第２の合せ面１１１−２Ａとを確実に合わさった状態として第１保持部１１６と第２保持部１１７との間において確実に絶縁被覆導線１０３を固定することができる。
【００７７】
突出端リブ１１７Ｃは、第２保持部１１７の突出端の内周面であって第１保持部１１６及び第２保持部１１７の突出方向、即ち絶縁被覆導線１０３の延出方向において第１保持部１１６の突出端リブ１１６Ｃと一致する位置に設けられており、内周面の周方向における一端から他端に渡って延出している。第２保持部１１７の突出端リブ１１７Ｃの突出高さは第１保持部１１６の突出端リブ１１６Ｃの突出高さと同一である。また、第２保持部１１７の突出端リブ１１７Ｃの突出高さと第１保持部１１６の突出端リブ１１６Ｃの突出高さと絶縁被覆導線１０３の外径との和は、第１保持部１１６の内周面及び第２保持部１１７の内周面により画成される略円柱形状をした空間の直径Ｒ２＋Ｒ２（図１０）に略等しい。
【００７８】
従って、絶縁被覆導線１０３の外周面が第１保持部１１６の突出端リブ１１６Ｃと第２保持部１１７の突出端リブ１１７Ｃとに当接することにより、第１保持部１１６及び第２保持部１１７の突出端において第１保持部１１６及び第２保持部１１７の内周面の全周にわたり、第１保持部１１６及び第２保持部１１７の半径方向において同一の高さで絶縁被覆導線１０３の外周面を支持することができ、バランスよく保持固定することができる。第２保持部１１７の突出端リブ１１７Ｃは第２保持部突出端凸部に相当する。また、第２保持部１１７の内周面は第２保持部対向面に相当する。
【００７９】
第１保持部１１６と第２保持部１１７との係合により、ケース１１１−１及び底蓋１１１−２の一端部及び他端部において絶縁被覆導線１０３の延出基部の外周面を保持するとともに、ケース１１１−１と底蓋１１１−２とを互いに移動不能に固定することができる。このため、ケース１１１−１、底蓋１１１−２の部分にこれらを互いに移動不能に固定するための係合の構成をこれらケース１１１−１、底蓋１１１−２の部分において別途設けなくて済む。
【００８０】
また、第１保持部１１６のフック１１６Ａと第２保持部１１７のフック受け部１１７Ａとの係合により、ケース１１１−１及び底蓋１１１−２の一端部及び他端部において絶縁被覆導線１０３の延出基部の外周面を保持することができるため、絶縁被覆導線１０３の半径方向において第１保持部１１６及び第２保持部１１７に対して絶縁被覆導線１０３の位置ずれが生じることを防止することができる。この結果、絶縁被覆導線１０３がたわんだり、引っ張られたりして負荷がかかったりしたときに、絶縁被覆導線１０３が損傷することを防止することができる。
【００８１】
また、第１保持部１１６のフック１１６Ａと第２保持部１１７のフック受け部１１７Ａとが係合する構成としたことにより、絶縁被覆導線１０３の位置ずれを防止することができ、フック１１６Ａ及びフック受け部１１７Ａに大きな負荷がかかることを防止することができ、フック１１６Ａ及びフック受け部１１７Ａが破損したり、フック１１６Ａがフック受け部１１７Ａから外れ、ケース１１１−１に対する底蓋１１１−２の固定が外れてしまったりすることを防止することができる。また、ケース１１１−１及び底蓋１１１−２の一端部及び他端部においてそれぞれ第１保持部１１６、第２保持部１１７が設けられて絶縁被覆導線１０３が保持されるため、ケース１１１−１に対して底蓋１１１−２をバランスよく移動不能に固定することができる。
【００８２】
本発明による電子部品及び電子機器は、上述した実施の形態に限定されず、特許請求の範囲に記載した範囲で種々の変形や改良が可能である。例えば、本実施の形態では、本発明を電子部品たるノイズフィルタ１０１やノイズ吸収装置１に応用したが、このような電子部品に限定されず、電子機器に応用してもよい。この場合であっても、第１の合せ面を持つ第１部材と、第１の合せ面と合わさる第２の合せ面を持つ第２部材とが協働して筐体を提供する構成となる。
【００８３】
そして、第１部材の少なくとも一端部であって第１の合せ面位置付近には、第１の合せ面と第２の合せ面とが整合する位置で筐体の内部から筐体外に延出するケーブルの延出方向に突出する第１保持部が、ケーブルの延出基部の外周面の一部を覆うように第１部材と一体に設けられる。また、第１保持部が設けられた位置側の第２部材の少なくとも一端部であって、第２の合せ面位置付近には、ケーブル延出方向に突出し第１保持部と係合可能な第２保持部がケーブルの延出基部の外周面の他部を覆うように第２部材と一体に設けられる。第１保持部と第２保持部との係合により、一端部側でケーブルの延出基部の外周面を保持するとともに、第１部材と第２部材とを互いに移動不能に固定する構成とする必要がある。
【００８４】
更に、第１保持部の部分であって延出基部の外周面に対向する第１保持部対向面には、延出基部の外周面へ向けて突出し延出基部に当接する第１保持部凸部が設けられ、第２保持部の部分であって延出基部の外周面に対向する第２保持部対向面には、ケーブルの延出方向において第１保持部凸部と異なる位置に配置され、延出基部の外周面へ向けて突出し延出基部に当接する第２保持部凸部が設けられていることが好ましい。
【００８５】
更に、第１保持部凸部と第２保持部凸部とは、延出基部に当接することにより延出基部をくねらせた状態とする突出高さを有し、第１保持部の突出方向における突出端の第１保持部対向面には、延出基部へ向けて突出し延出基部に当接する第１保持部突出端凸部が設けられ、第２保持部の突出方向における突出端の第２保持部対向面には、ケーブルの延出方向において第１保持部突出端凸部と一致する位置に配置され、延出基部へ向けて突出し、第１保持部突出端凸部と突出高さが等しく、延出基部に当接する第２保持部突出端凸部が設けられていることが好ましい。以上のような電子機器としては、例えばテーブルタップ等を挙げることができ、筐体からケーブルが延出している全ての電子機器製品に応用が可能である。
【００８６】
また、第１の実施の形態では、一方のケース部１１−１と他方のケース部１１−２とは同一形状であったが、同一形状でなくてもよい。例えば、一方のケース部の保持部にそれぞれフックのみを設け、他方のケース部の保持部にそれぞれフック受け部のみを設けてもよいし、又は、一方のケース部の保持部にそれぞれフック受け部のみを設け、他方のケース部の保持部にそれぞれフックのみを設けてもよい。
【００８７】
同様に、第２の実施の形態では、第１保持部１１６にフック１１６Ａが設けられ、第２保持部１１７にフック受け部１１７Ａが設けられたが、これに限定されず、第１保持部にフック受け部が設けられ、第２保持部にフックが設けられてもよい。
【００８８】
また、中間リブの本数や第１保持部、第２保持部の個数は本実施の形態の数に限定されない。また、筐体の一端部及び他端部のそれぞれに第１保持部及び第２保持部が設けられたが、第１保持部及び第２保持部を一端部のみに設けるようにしてもよい。
【産業上の利用可能性】
【００８９】
本発明の電子部品及び電子機器は、第１の合せ面を持つ第１部材と、第１の合せ面と合わさる第２の合せ面を持つ第２部材とにより筐体が構成され、第１の合せ面と第２の合せ面とが整合する位置で筐体の内部から筐体外に導線又はケーブルが延出する電子部品及び電子機器全ての分野において特に有用である。
【図面の簡単な説明】
【００９０】
【図１】本発明の第１の実施の形態による電子部品を示す斜視図。
【図２】本発明の第１の実施の形態による電子部品を示す分解斜視図。
【図３】本発明の第１の実施の形態による電子部品の一方のケース部及びコア部を示す分解斜視図。
【図４】本発明の第１の実施の形態による電子部品を示す断面図。
【図５】本発明の第２の実施の形態による電子部品を示す上方斜視図。
【図６】本発明の第２の実施の形態による電子部品を示す下方斜視図。
【図７】本発明の第２の実施の形態による電子部品のケースを示す下方斜視図。
【図８】本発明の第２の実施の形態による電子部品のケースを示す要部下方斜視図。
【図９】本発明の第２の実施の形態による電子部品の底蓋を示す要部下方斜視図。
【図１０】本発明の第２の実施の形態による電子部品の筐体を示す要部断面図。
【符号の説明】
【００９１】
１        ノイズ吸収装置
２        コア
１０      ケース
１１−１    一方のケース部
１１−２    他方のケース部
１１−１Ａ    第１の合せ面
１１−２Ａ    第２の合せ面
１３ａ、１４ａ        切欠き
１６、１７      保持部
１６Ａ        フック
１６Ｂ、１７Ｂ        中間リブ
１６Ｃ、１７Ｃ        突出端リブ
１７Ａ          フック受け部
１０１          ノイズフィルタ
１０３          絶縁被覆導線
１１０          筐体
１１１−１      ケース
１１１−２      底蓋
１１３          一端部
１１４          他端部
１１１−１Ａ    第１の合せ面
１１１−２Ａ    第２の合せ面
１１３ａ        第１切欠き
１１４ａ        第２切欠き
１１６          第１保持部
１１６Ａ        フック
１１６Ｂ、１１７Ｂ        中間リブ
１１６Ｃ、１１７Ｃ        突出端リブ
１１７Ａ        フック受け部
【図１】
2008263110.tif 000003
【図２】
2008263110.tif 000004
【図３】
2008263110.tif 000005
【図４】
2008263110.tif 000006
【図５】
2008263110.tif 000007
【図６】
2008263110.tif 000008
【図７】
2008263110.tif 000009
【図８】
2008263110.tif 000010
【図９】
2008263110.tif 000011
【図１０】
2008263110.tif 000012